(57)【要約】  本発明はデータストリーム（４）中に少なくとも一つの非表示情報（９）と、非表示情報を送信するための少なくとも一つの手段（１３）を挿入し、表示する方法に関する。本発明によると、本来のデータ（４）のコンテンツや整合性を改変することなく非表示情報が付加される。本発明は更に、前記方法を実施するための手段を有する装置に関する。【選択図】  図１
2011509447.tif 000002
【特許請求の範囲】
【請求項１】
第一電気通信装置内で用いられ、前記第一電気通信装置が第二電気通信装置にデータを供給するデータ拡張方法において、
前記データを改変することなく、前記データ内部に少なくとも一つの非表示情報項目を挿入し付加する段階と、
前記データを改変することなく、前記データ内部に、前記非表示情報へアクセスするための少なくとも一つの手段を挿入する段階と、
前記非表示情報へアクセスするための少なくとも一つの手段を表示する段階と、を含むことを特徴とするデータ拡張方法。
【請求項２】
請求項１に記載の方法において、
前記第二電気通信装置内に内蔵されたソフトウェア手段が、前記第二電気通信装置のユーザにデータを送信する段階を更に含むことを特徴とする方法。
【請求項３】
請求項１または２に記載の方法において、
前記非表示情報が広告コンテンツであることを特徴とする方法。
【請求項４】
請求項１または２に記載の方法において、
前記非表示情報は前記第一電気通信装置内のコンテンツへのリンクであることを特徴とする方法。
【請求項５】
請求項１または２に記載の方法において、
前記非表示情報は前記第一電気通信装置外のコンテンツへのリンクであることを特徴とする方法。
【請求項６】
請求項１乃至５のいずれか一項に記載の方法において、
前記手段は、前記第二電気通信装置が備える機能を用いることを特徴とする方法。
【請求項７】
請求項６に記載の方法において、
前記手段を選択すると前記情報を含む表示画面が開くことを特徴とする方法。
【請求項８】
請求項６に記載の方法において、
前記手段は前記情報を音声で送信することを特徴とする方法。
【請求項９】
請求項１乃至８のいずれか一項に記載の方法において、
前記非表示情報へアクセスする手段の表示は、前記データの全体もしくは一部の表示形態を変更することでなされることを特徴とする方法。
【請求項１０】
請求項１乃至９のいずれか一項に記載の方法において、
前記ソフトウェア手段は、前記第二電気通信装置が前記第一電気通信装置からのみデータを受信するよう予め設定されている段階を含むことを特徴とする方法。
【請求項１１】
第二電気通信装置と接続された第一電気通信装置を有する電気装置において、前記第一電気通信装置は、
前記第二通信装置からデータ発信の要求を受け取り、
前記データを受信し、
前記データの内部に、前記データを改変させることなく少なくとも一つの非表示情報項目を挿入し、
前記データの内部に、前記データを改変させることなく前記非表示情報へのアクセス手段を少なくとも一つ挿入し、
前記非表示情報への少なくとも一つのアクセス手段を表示し、
前記第二電気通信装置に前記データを転送し拡張することを特徴とする第一電気通信装置。
【請求項１２】
請求項１１に記載の電気装置において、
前記第二電気装置を内蔵することを特徴とする電気装置。
【請求項１３】
請求項１１に記載の電気装置において、
前記第二電気通信装置と物理的に接続されたことを特徴とする電気装置。
【請求項１４】
請求項１１に記載の電気装置において、
ＲＦ接続を通じて前記第二電気装置と通信することを特徴とする電気装置。
【請求項１５】
請求項１１から１４に記載の電気装置において、
前記非表示情報は前記電気装置内のメモリに保存されていることを特徴とする電気装置。
【請求項１６】
請求項１１乃至１４のいずれか一項に記載の電気装置において、
前記非表示情報が外部メモリ内に保存されていることを特徴とする電気装置。
【請求項１７】
請求項１６に記載の電気装置において、
前記非表示情報を取り込む手段を備えることを特徴とする電気装置。
【請求項１８】
請求項１１乃至１７のいずれか一項に記載の電気装置において、
前記第一電気装置がＩＣカードであることを特徴とする電気装置。
【発明の詳細な説明】
【技術分野】
【０００１】
本発明は非表示情報項目をデータ内に自動挿入する装置及び方法、並びに非表示情報項目を送信する方法に関する。
【０００２】
より詳しくは、少なくとも一つの非表示情報項目をデータストリーム中に挿入することを可能にする方法と、非表示情報を送信する方法に関する。
【背景技術】
【０００３】
本明細書中に述べる、「データ」とはユーザから要求され、予期された一連のコンテンツを意味する。関連して、本発明における「情報」とは、データに付加された一つもしくはそれ以上の情報項目を指す。「非表示」情報とは、ユーザが自らの意思で要求し利用可能になる情報を示す。非表示情報はユーザが要求したデータに付加されて送信される。
【０００４】
「改変なし」のデータとは、本来のコンテンツや整合性が変更されていないデータを意味する。
【０００５】
更に、「表示する」と「送信する」には以下のような差異がある。
・「表示する」とは一連のデータが提供されているユーザに対し、非表示情報が利用可能であることを示す手段を用いることであり、ユーザにその非表示情報へアクセスさせる操作的方法である。
・「送信する」とは、情報もしくはデータを送信し、直接ユーザと繋げる機能である。例えば、ポップアップと言われる、自動的に画面前面に表示されるウィンドウもコンテンツの送信である。
【０００６】
本発明は特に以下の状況で適用可能である。
・ユーザがデータへのアクセスを要求するとき
・第三者がユーザに付加情報を提供したいとき
【０００７】
上記の付加情報は、直接的・間接的なものも含め、大抵の場合広告コンテンツと関連する。
【０００８】
現行では、第三者がユーザに付加的情報を提供するには、主に以下の二つの方法がある。
【０００９】
第一に、一連のデータを部分的に変更し、情報を付加する方法である。この方法は例えば、インターネットを介して操作可能であるＨＴＭＬ(ハイパーテキスト・マークアップ言語)のページと対応して用いられる。この場合、広告バナーはＨＴＭＬページを提供しているサイトに直接付加される。
【００１０】
しかし、この方法には次のような二つの欠点がある。第一に、ユーザにより要求されたデータが改変される点である。第二に、予期する情報を含むサーバに、付加された非表示情報が認識される点である。
【００１１】
第三者がユーザに付加情報を提供するもう一つの方法は、一連のデータが表示される時に修正を加える方法である。特定のインターネットブラウザ(ウェブブラウザ)はデータ表示時にＨＴＭＬページに情報を付加することが可能である。
【００１２】
上記の方法は、第一の方法と同様に、ユーザにより要求されたデータが改変される点が欠点である。加えて、この方法はデータ表示を管理するソフトウェアシステムに修正を加えることに依拠しているが、通常このソフトウェアシステムはユーザの管理下にあるため、必ずしも第三者が管理できるとは限らない。
【発明の概要】
【発明が解決しようとする課題】
【００１３】
そこで本発明は、上記の欠点を改善することを目的とする。そして、ユーザにより予期されたデータを改変することなく、第三者が一部的もしくは全面的に非表示情報を付加しうる方法と過程を提示する。本発明により、多様な非表示情報を付加することが可能である。
【課題を解決するための手段】
【００１４】
より詳細には、本発明は第一電気通信装置内で用いられ、第一電気通信装置から第二電気通信装置にデータを供給するデータ拡張方法である。この方法は以下の段階から構成される。
・データを改変することなく、データ内部に少なくとも一つの非表示情報項目を挿入し付加する段階
・データを改変することなく、データ内部に、非表示情報へアクセスするための少なくとも一つの手段を挿入する段階
・非表示情報へアクセスするための少なくとも一つの手段を表示する段階
【００１５】
本発明の実施形態においては、第二電気通信装置内に内蔵されたソフトウェア手段が、第二電気通信装置のユーザにデータを送信する段階を更に方法に含む。
【００１６】
特定の実施形態においては、広告コンテンツや、第一電気通信装置内のコンテンツへのリンク、第一電気通信装置外のコンテンツへのリンクが非表示情報に当てはまる。
【００１７】
本発明の一実施形態において、非表示情報へのアクセス手段は、第二電気通信装置が備える機能を用いる。この機能とは例えば、アクセス手段を選択すると非表示情報を含む表示画面が開く機能や、非表示情報を音声で送信する機能である。
【００１８】
本発明の実施形態の一つにおいては、全てもしくは一部のデータの形態を変更することで、非表示情報へのアクセス手段が表示される。
【００１９】
本発明の一実施形態によると、上記のソフトウェア手段は、第二電気通信装置のみからデータを受信するよう予め設定されている段階を含む。
【００２０】
本発明は、第二電気通信装置と接続された第一電気通信装置に関し、また第一電気通信装置は以下の手段を有する。
・第二通信装置からデータ発信の要求を受けること
・上記のデータを受信すること
・受信データの内部に、データを改変させることなく少なくとも一つの非表示情報項目を挿入すること
・受信データの内部に、データを改変させることなく非表示情報へのアクセス手段を少なくとも一つ挿入すること
・非表示情報へのアクセス手段を少なくとも一つ表示すること
・第二電気通信装置にデータを転送し拡張すること
【００２１】
特定の実施形態においては、電気通信装置は例えば上記第二電気通信装置内に含まれる場合もあれば、第二電気通信装置と物理的に接続されている場合もある。他の実施形態においては、電気通信装置は第二電気通信装置と、例えばRF接続を通じて通信する場合もある。
【００２２】
特定の実施形態においては、非表示情報は例えば上記電気装置内のメモリ、もしくは外部メモリに保存される。
【００２３】
他の実施形態においては、本発明によると、上記第二電気通信装置は情報を取り込む手段を有する。
【００２４】
実施形態の一つにおいては、上記第一電気通信装置は、ＩＣカードである。
【発明の効果】
【００２５】
データに非表示情報を付加する装置は、ユーザが直接利用可能な装置である。こうした利点から、特定の実施形態においては、ユーザに関する情報や、ユーザが要求したデータにまつわる情報が収集される。それゆえ非表示情報を付加するこの装置は、ユーザとデータ、もしくはいずれかに挿入する情報を極めて的確に選択することができる。
【図面の簡単な説明】
【００２６】
【図１】本発明におけるデータ拡張システムを示す図。
【発明を実施するための形態】
【実施例】
【００２７】
以下では図1を参照に詳細を説明し、本発明に係る他の特徴と利点を明らかにする。
【００２８】
図１において、第一電気通信装置はＩＣカード（１）であり、第二電気通信装置は携帯電話（２）である。
【００２９】
ＩＣカード（１）は携帯電話（２）から機能上独立した要素であり、第三者が所有することが可能である。携帯電話機本体はユーザが所有するが、一般的に携帯電話のＳＩＭカード(使用者固定カード)は携帯電話会社により管理されている。本発明の実施により、携帯電話会社はユーザ所有の携帯電話を操作することなく非表示情報を挿入することが可能になる。
【００３０】
ユーザは、携帯電話（２）に内蔵されたソフトウェア手段を通じて、外部コンピュータ（３）内のデータ（４）へのアクセスを要求する。これは例えば、ソフトウェア手段が「ウェブブラウザ」であり、ユーザが特定のＨＴＭＬページへのアクセスを要求する場合が当てはまる。
【００３１】
ユーザの要求は、リクエスト（５）で表され、カード（１）に転送される。
【００３２】
上記のようにユーザの要求がカードへ直接転送されるのはシステム自体に起因するものであり、ユーザの選択や、携帯電話の特定の設定は関係ない。
【００３３】
図１に関連して、カード（１）は外部コンピュータ（３）からデータ（４）を取得する（６）。しかし、前述の通り、カード（１）は上記のデータ（４）をいかなる情報源からでも得ることができ、更にはローカルメモリ（１１）内にデータ（４）を利用可能な状態にすることも可能である。
【００３４】
本発明に準じた方法の実施により、カード（１）はデータ（４）を非表示情報（９）とで拡張することができる。非表示情報（９）はメモリ（１１）内やカード内部、もしくは外部コンピュータ（１０）内に存在しうる。このような状況は、データ内に挿入される広告コンテンツがカード内に保存されている状況や、コンテンツを接続しているサーバから取り込む（８）状況と同様である。
【００３５】
外部コンテンツへのリンクである非表示情報（９）は、介在的機能を果たしている。外部コンテンツへのリンクは、一般的にＵＲＬ（ユニフォームリソースロケータ）と呼ばれるインターネットアドレスで示される。外部コンテンツへのリンクは返送されることはなく、インデックス化されるのみである。
【００３６】
非表示情報（９）をデータ（４）内に挿入した後、非表示情報へのアクセス手段（１３）をデータ（３）内に少なくとも一つ付加し、表示しなければならない。なお、非表示情報の挿入、アクセス手段の付加、表示の過程において、データ（４）は何ら改変されていない。
【００３７】
インターネットと関連し、非表示情報（９）へのアクセス手段（１３）の一例として、非表示情報を含んだウィンドウが挙げられる。ウィンドウは、ユーザが特定の言葉をＨＴＭＬページ（４）上で「クリック」すると現れる。アクセス手段の表示は、例えば特定の言葉を強調することでなされ、ユーザにその特定の言葉を通じて非表示情報へアクセス可能であることが示される。
【００３８】
上記のようにして拡張されたデータ（１２）は携帯電話に転送され（７）、ソフトウェア手段はデータ（１２）をユーザに送信する。
【図１】
2011509447.tif 000003
【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
第一電気通信装置（１）内で用いられ、前記第一電気通信装置（１）は第二電気通信装置（２）に内蔵され、
前記第一電気通信装置（１）が前記第二電気通信装置にデータを供給するデータ拡張方法において、
前記データを改変することなく、前記データ内部に少なくとも一つの非表示情報項目を挿入し付加する段階と、
前記データを改変することなく、前記データ内部に、前記非表示情報へアクセスする少なくとも一つの手段を挿入する段階と、
前記非表示情報へアクセスする少なくとも一つの手段を表示する段階と、を含み、
前記非表示情報項目を挿入し付加する段階と前記非表示情報へアクセスする手段を挿入する段階は前記第一電気通信装置（１）内で実施されることを特徴とするデータ拡張方法。
【請求項２】
請求項１に記載の方法において、
前記第二電気通信装置（２）内に内蔵されたソフトウェア手段が、前記第二電気通信装置（２）のユーザにデータを送信する段階を更に含むことを特徴とする方法。
【請求項３】
請求項１または２に記載の方法において、
前記非表示情報が広告コンテンツであることを特徴とする方法。
【請求項４】
請求項１または２に記載の方法において、
前記非表示情報は前記第一電気通信装置（１）内のコンテンツへのリンクであることを特徴とする方法。
【請求項５】
請求項１または２に記載の方法において、
前記非表示情報は前記第一電気通信装置（１）外のコンテンツへのリンクであることを特徴とする方法。
【請求項６】
請求項１乃至５のいずれか一項に記載の方法において、
前記手段は第二電気通信装置（２）が備える機能を用いることを特徴とする方法。
【請求項７】
請求項６に記載の方法において、
前記手段を選択すると前記非表示情報を含む表示画面が開くことを特徴とする方法。
【請求項８】
請求項６に記載の方法において、
前記手段は前記非表示情報を音声で送信することを特徴とする方法。
【請求項９】
請求項１乃至８のいずれか一項に記載の方法において、
前記非表示情報へアクセスする手段の表示は、前記データの全体もしくは一部の表示形態を変更することでなされることを特徴とする方法。
【請求項１０】
請求項１乃至９のいずれか一項に記載の方法において、
前記ソフトウェア手段は前記第二電気通信装置（２）が前記第一電気通信装置（１）からのみデータを受信するよう予め設定されている段階を含むことを特徴とする方法。
【請求項１１】
第一装置（１）として言及され、第二電気通信装置（２）内に含まれる電気通信装置において、
前記第二通信装置（２）からデータ発信の要求を受けとり、
前記データを受信し、
前記データの内部に、前記データを改変させることなく少なくとも一つの非表示情報項目を挿入し、
前記データの内部に、前記データを改変させることなく前記非表示情報へのアクセス手段を少なくとも一つ挿入し、
前記非表示情報へのアクセス手段を少なくとも一つ表示し、
前記第二電気通信装置（２）に前記データを転送し拡張する手段を含むことを特徴とする第一電気通信装置（１）。
【請求項１２】
請求項１１に記載の電気装置において、
前記非表示情報は前記電気装置（１）内のメモリに保存されていることを特徴とする電気装置。
【請求項１３】
請求項１１に記載の電気装置において、
前記非表示情報を取り込む手段を備えることを特徴とする電気装置。
【請求項１４】
請求項１１乃至１３のいずれか一項に記載の電気装置において、
前記第一電気装置がＩＣカードであることを特徴とする電気装置。
【国際調査報告】
2011509447.tif 000004
2011509447.tif 000005
2011509447.tif 000006
2011509447.tif 000007
2011509447.tif 000008
2011509447.tif 000009